(57)【要約】【課題】  再生停止位置情報をユーザが所望するものについてのみ管理する。【解決手段】  ハードディスクに記録された情報の再生を停止したリジュームポイントを記録し、次回の再生時には記録したリジュームポイントに基づき再生停止位置から情報の再生を行う装置である。そのために、ハードディスクから情報を読出して再生している場合に、再生停止キーまたはトリックプレイキーによる指令信号を入力したときに（Ｓ１８、Ｓ２２）、再生停止操作の指令信号とともに特定キーの操作を示す信号を入力した場合には（Ｓ２０、Ｓ２４）、再生を停止した位置を示す再生停止位置情報を求める。そして再生停止位置情報が求まる毎に、該再生停止位置情報を所定記録領域にリジュームポイントとして記録する（Ｓ２１、Ｓ２５）。【選択図】        図２
2005332515.tif 000002
【特許請求の範囲】
【請求項１】
記録媒体に記録された情報の再生を停止した位置の情報を記録し、次回の再生時には前記記録した再生停止位置情報に基づき前記再生停止位置から情報の再生を行う情報記録再生装置であって、
前記再生停止位置情報が与えられる毎に、該再生停止位置情報を所定記録領域に記録する再生停止位置記録手段と、
前記記録媒体から情報を読出して再生している場合に、再生停止操作の指令信号を入力したことに応じて、前記記録媒体からの情報の再生を停止する再生停止手段と、
前記再生停止操作の指令信号とともに特定の操作を示す信号を入力した場合に、前記再生停止手段により再生を停止した位置を示す前記再生停止位置情報を求めて、前記再生停止位置記録手段に与える再生停止位置取得手段とを備え、
前記再生停止操作は複数種類の操作を含み、
前記再生停止位置記録手段は、与えられる前記再生停止位置情報を前記再生停止操作の種類と対応付けて前記所定記録領域に記録し、
前記複数種類の操作は、通常再生中に異なる種類の再生を開始させるためのトリック操作であり、
前記再生停止位置記録手段は、
現在装置を使用しているユーザを識別するための予め取得したユーザデータごとに、該ユーザデータと、与えられる前記再生停止位置情報とを対応付けて前記所定記録領域に記録し、
前記再生停止位置記録手段は、
前記再生停止手段により再生を停止した位置の情報に基づき生成された画像データと、与えられる前記再生停止位置情報とを対応付けて前記所定記録領域に記録し、
前記情報記録再生装置は、
前記所定記録領域に記録された内容のうち現在装置を使用しているユーザに対応する内容を表示する表示手段と、
前記表示手段により表示された前記再生停止位置情報のうち、外部から指示された前記再生停止位置情報に基づく前記記録媒体の前記再生停止位置から情報の再生を行う再生手段とをさらに備える、情報記録再生装置。
【請求項２】
記録媒体に記録された情報の再生を停止した位置の情報を記録し、次回の再生時には前記記録した再生停止位置情報に基づき前記再生停止位置から情報の再生を行う情報記録再生装置であって、
前記再生停止位置情報が与えられる毎に、該再生停止位置情報を所定記録領域に記録する再生停止位置記録手段と、
前記記録媒体から情報を読出して再生している場合に、再生停止操作の指令信号を入力したことに応じて、前記記録媒体からの情報の再生を停止する再生停止手段と、
前記再生停止操作の指令信号とともに特定の操作を示す信号を入力した場合に、前記再生停止手段により再生を停止した位置を示す前記再生停止位置情報を求めて、前記再生停止位置記録手段に与える再生停止位置取得手段とを備える、情報記録再生装置。
【請求項３】
前記再生停止操作は複数種類の操作を含み、
前記再生停止位置記録手段は、与えられる前記再生停止位置情報を前記再生停止操作の種類と対応付けて前記所定記録領域に記録することを特徴とする、請求項２に記載の情報記録再生装置。
【請求項４】
前記複数種類の操作は、通常再生中に異なる種類の再生を開始させるためのトリック操作であることを特徴とする、請求項３に記載の情報記録再生装置。
【請求項５】
前記再生停止位置記録手段は、
現在装置を使用しているユーザを識別するための予め取得したユーザデータごとに、該ユーザデータと、与えられる前記再生停止位置情報とを対応付けて前記所定記録領域に記録することを特徴とする、請求項２から４のいずれか１項に記載の情報記録再生装置。
【請求項６】
前記再生停止位置記録手段は、
前記再生停止手段により再生を停止した位置の情報に基づき生成された画像データと、与えられる前記再生停止位置情報とを対応付けて前記所定記録領域に記録することを特徴とする、請求項２から５のいずれか１項に記載の情報記録再生装置。
【請求項７】
前記所定記録領域に記録された内容のうち現在装置を使用しているユーザに対応する内容を表示する表示手段と、
前記表示手段により表示された前記再生停止位置情報のうち、外部から指示された前記再生停止位置情報に基づく前記記録媒体の前記再生停止位置から情報の再生を行う再生手段とをさらに備える、請求項５または６に記載の情報記録再生装置。
【請求項８】
予め準備された記録媒体に記録された情報の再生を停止した位置の情報を記録し、次回の再生時には前記記録した再生停止位置情報に基づき前記再生停止位置から情報の再生を行うための情報記録再生方法であって、
前記再生停止位置情報が与えられる毎に、該再生停止位置情報を予め準備された所定記録領域に記録する再生停止位置記録ステップと、
前記記録媒体から情報を読出して再生している場合に、再生停止操作の指令信号を入力したことに応じて、前記記録媒体からの情報の再生を停止する再生停止ステップと、
前記再生停止操作の指令信号とともに特定の操作を示す信号を入力した場合に、前記再生停止ステップにより再生を停止した位置を示す前記再生停止位置情報を求めて、前記再生停止位置記録ステップに与える再生停止位置取得ステップとを備える、情報記録再生方法。
【発明の詳細な説明】
【技術分野】
【０００１】
この発明は、情報記録再生装置および方法に関し、特に、記録媒体に記録された情報を再生する場合のリジュームポイントを管理することができる情報記録再生装置および方法に関する。
【背景技術】
【０００２】
従来より、ディスクに記録された各タイトルのデータについて、これを再生する複数ユーザのそれぞれに対応して、複数種類のリジュームポイントを記録して、記録した情報に基づく再生を可能にしている技術が提供されている。リジュームポイントは一般には再生停止した時に読出されていた情報のディスクにおける位置、たとえば格納されていたアドレスデータを指している。
【０００３】
たとえば、特許文献１と２には複数のユーザそれぞれ毎に通常の再生停止時のリジュームポイントを記録しこれを用いて再生する技術が開示される。また、特許文献３には、各プログラムについて早送りまたは早戻し再生というトリックプレイ時のリジュームポイントを記録することが開示されている。
【特許文献１】特開２００３−１５１２４５号公報
【特許文献２】特開２００３−７７２５７号公報
【特許文献３】特開２００２−１０２１５号公報
【発明の開示】
【発明が解決しようとする課題】
【０００４】
しかしながら、従来のリジュームポイントの管理は、複数のユーザのそれぞれに対応して、各タイトルのデータについて複数種類のリジュームポイントを記録することは開示されているけれども、トリックプレイをする都度、リジュームポイントを記録することになり、ユーザが所望しないトリックプレイ時のリジュームポイントも記録してしまうという弊害があった。また、トリックプレイの種類毎に、リジュームポイントを管理することはできなかった。
【０００５】
それゆえにこの発明の目的は、再生停止位置情報をユーザが所望するものについてのみ管理することができる情報記録再生装置および方法を提供することである。
【課題を解決するための手段】
【０００６】
この発明のある局面に従う情報記録再生装置は、記録媒体に記録された情報の再生を停止した位置の情報を記録し、次回の再生時には前記記録した再生停止位置情報に基づき前記再生停止位置から情報の再生を行う情報記録再生装置であって、再生停止位置情報が与えられる毎に、該再生停止位置情報を所定記録領域に記録する再生停止位置記録手段と、記録媒体から情報を読出して再生している場合に、再生停止操作の指令信号を入力したことに応じて、記録媒体からの情報の再生を停止する再生停止手段と、再生停止操作の指令信号とともに特定の操作を示す信号を入力した場合に、再生停止手段により再生を停止した位置を示す再生停止位置情報を求めて、再生停止位置記録手段に与える再生停止位置取得手段とを備える。
【０００７】
したがって、再生停止位置情報は再生停止操作とともに特定の操作がされたときに限り、再生停止位置記録手段に与えられて、所定記録領域に記録される。
【０００８】
それゆえに、ユーザは再生停止位置情報の記録を所望するときは、再生停止操作とともに特定の操作をすればよく、所望しないときは再生停止操作のみを行えばよい。
【０００９】
好ましくは、再生停止操作は複数種類の操作を含み、再生停止位置記録手段は、与えられる再生停止位置情報を再生停止操作の種類と対応付けて所定記録領域に記録する。
【００１０】
したがって、再生停止位置情報を対応の再生停止操作の種類と対応付けて記録できる。
【００１１】
好ましくは、複数種類の操作は、通常再生中に異なる種類の再生を開始させるためのトリック操作である。
【００１２】
したがって、トリック操作をして再生停止した場合の再生停止位置情報を記録することができる。
【００１３】
好ましくは、再生停止位置記録手段は、現在装置を使用しているユーザを識別するための予め取得したユーザデータごとに、該ユーザデータと、与えられる再生停止位置情報とを対応付けて所定記録領域に記録する。
【００１４】
したがって、再生停止位置情報をユーザ毎に記録できる。
【００１５】
好ましくは、再生停止位置記録手段は、再生停止手段により再生を停止した位置の情報に基づき生成された画像データと、与えられる記再生停止位置情報とを対応付けて所定記録領域に記録する。
【００１６】
したがって、再生停止位置情報を再生停止位置の情報に基づく画像データと対応付けて記録できる。
【００１７】
好ましくは、所定記録領域に記録された内容のうち現在装置を使用しているユーザに対応する内容を表示する表示手段と、表示手段により表示された再生停止位置情報のうち、外部から指示された再生停止位置情報に基づく記録媒体の前記再生停止位置から情報の再生を行う再生手段とをさらに備える。
【００１８】
したがって、記録された再生停止位置情報などを表示して、ユーザは表示された再生停止位置情報から所望するものを選択的に指示すると、指示した再生停止位置情報に基づく再生停止位置から情報の再生を再開させることができる。表示内容として画像データに基づく画像が表示される場合には、所望する再生停止位置情報を容易に特定することができる。
【００１９】
この発明のある局面に従う情報記録再生方法は、予め準備された記録媒体に記録された情報の再生を停止した位置の情報を記録し、次回の再生時には前記記録した再生停止位置情報に基づき前記再生停止位置から情報の再生を行うための情報記録再生方法であって、再生停止位置情報が与えられる毎に、該再生停止位置情報を予め準備された所定記録領域に記録する再生停止位置記録ステップと、記録媒体から情報を読出して再生している場合に、再生停止操作の指令信号を入力したことに応じて、記録媒体からの情報の再生を停止する再生停止ステップと、再生停止操作の指令信号とともに特定の操作を示す信号を入力した場合に、再生停止ステップにより再生を停止した位置を示す再生停止位置情報を求めて、再生停止位置記録ステップに与える再生停止位置取得ステップとを備える。
【発明の効果】
【００２０】
本発明によれば、再生停止位置情報は再生停止操作とともに特定の操作がされたときに限り、再生停止位置記録手段に与えられて、所定記録領域に記録されるので、ユーザは再生停止位置情報の記録を所望するときは、再生停止操作とともに特定の操作をすればよく、所望しないときは再生停止操作のみを行えばよい。
【発明を実施するための最良の形態】
【００２１】
以下、この発明の実施の形態について図面を参照し詳細に説明する。
【００２２】
図１は、この発明の実施の形態に係るディスク記録再生装置を搭載したデジタル放送受信装置のブロック構成図である。図１を参照してデジタル放送受信装置１は、外部のアンテナ１７を介してデジタル放送信号ＤＳを受信し指定されたチャンネルの信号を抽出するチューナ２、チューナ２を介して受信されたデジタル信号をデジタル処理可能なようにエンコードするエンコーダ１８、エンコーダ１８から出力されたデータをハードディスク４に記録したりハードディスク４からデータを読出したりするためのディスクドライブ３、デジタル放送受信装置１内の各部を制御するためのＣＰＵ（Central Processing Unit）５、録画などの予約内容６１を含む各種データおよびＣＰＵ５が読出して実行する制御プログラムを格納するメモリ６、計時するためのタイマ７、操作内容および装置の動作情報などを表示して報知するための表示部８、ユーザが動作を制御するための指令またはデータを与えるために操作するキー、スイッチまたはボタンなどからなる操作部９、外部のリモコン（リモートコントローラの略）１１をユーザが操作することにより送信される赤外線の指令信号またはデータの信号を受信するリモコン受信部１０、ディスクドライブ３を介してハードディスク４から読出されたデータを入力してエンコード（復号）処理して出力するデコーダ１３、およびデコーダ１３の出力する信号を入力して外部に接続のモニタ１６において出力可能な映像信号または音声信号に処理する映像・音声出力処理部１５を備える。
【００２３】
モニタ１６はテレビジョン受像機などであり映像と音声を出力する機能を有する。デコーダ１３には、ＣＰＵ５から与えられるグラフィックデータに基づいて対応の画像を映像・音声出力処理部１５を介してモニタ１６に表示するための回路であるＯＳＤ（on screen display）１４を有する。
【００２４】
リモコン１１はトリックプレイ時のリジュームポイントを管理するときに操作される特定キー１２、再生の早送りを指示するために操作される早送りキー１１１、巻戻しを指示するために操作される巻戻しキー１１２、通常再生の停止を指示するために操作される停止キー１１３およびカーソルキー１１４を有する。
【００２５】
ここではトリックプレイ（トリック操作）とはデータの記録モード（ビットレート）に従うデータ読出し速度に対応する通常速度の順方向の再生（以下、通常再生という）を停止するための停止キー１３による再生停止操作とは異なる操作であり、通常再生中に異なる種類の再生動作を行わしめるための操作をいう。たとえば巻戻しキー１１２の操作による通常速度の逆方向再生、早送りキー１１１の操作による早送り速度の順方向再生、早送り速度の逆方向再生、スロー速度の順方向再生と逆方向再生、スキップ再生などを開始する操作をいう。これらトリックプレイがなされたときは通常再生の停止指令と対応のトリックプレイのための再生動作開始指令がなされる。ここでは説明を簡単にするためにリモコン１１にはトリックプレイのために早送りキー１１１と巻戻しキー１１２のみが設けられているが、他のトリックプレイのためのキーが設けられても良い。
【００２６】
図２には、図１のデジタル放送受信装置１のＣＰＵ５によって実行されるリジュームポイント管理手順のフローチャートが示される。図２のフローチャートは、予めプログラムとしてメモリ６に格納されており、ＣＰＵ５がこのプログラムをメモリ６から読出して実行することにより、リジュームポイント管理の機能が実現される。
【００２７】
図２では、再生停止時（再生中に早送りキー１１１を操作した時点の再生停止時、再生中に巻戻しキー１１２を操作した時点の再生停止時、再生中に停止キー１１３を操作した場合の再生停止時）にその時点における再生停止位置情報を覚えておき、再生再開時に、以前に再生を停止した位置から再生を開始できる、いわゆるリジューム機能を説明している。
【００２８】
図３には、図１のハードディスク４における記録内容の一例が示される。ハードディスク４には、管理テーブル４０を格納するための領域Ｅ１、リジュームテーブル４１を格納するための領域Ｅ２および記録データ４２を格納するための領域Ｅ３を有する。本実施の形態では個々の番組データなどの時系列のデータ群を“タイトル”と称し、各タイトルのデータ群は、領域Ｅ３において記録データ４２として格納される。
【００２９】
領域Ｅ１の管理テーブル４０は図４に示されるように、領域Ｅ３の記録データ４２である各タイトルを管理するために各タイトルに対応して管理データＢｉ（ｉ＝１、２、…、ｎ）を有する。各管理データＢｉは、対応のタイトルについて記録モードデータＤ１０、先頭アドレスデータＤ１１、末尾アドレスデータＤ１２およびタイトルデータＤ１３を含む。記録モードデータＤ１０は、対応のタイトルを領域Ｅ３に記録するときのビットレート（bit/sec）を示す記録モード（たとえば標準モード、３倍速モードなどの別）を指示する。先頭アドレスデータＤ１１および末尾アドレスデータＤ１２は対応の各タイトルのデータが格納される領域Ｅ３の先頭アドレスと末尾（最終）アドレスを示す。本実施の形態では、説明を簡単にするために、領域Ｅ３において各タイトルのデータは連続した領域に格納されると想定する。したがって、各タイトルのデータは先頭アドレスデータＤ１１から末尾アドレスデータＤ１２により示される連続した領域に格納される。タイトルデータＤ１３は、対応のタイトルを一意に識別するためのデータであってタイトルのデータ群の名称（番組名）やタイトルの識別番号などを示す。
【００３０】
領域Ｅ２のリジュームテーブル４１は図５に示されるように、図１のデジタル放送受信装置１のユーザのそれぞれに対応してリジューム情報Ａｊ（ｊ＝１、２、３、…、ｍ）を有する。
【００３１】
リジューム情報Ａｊは、対応のユーザを一意に識別するためのユーザ名やユーザ番号などを示すユーザデータＤ１、ならびに対応のユーザがしたリジューム操作（通常再生の停止操作）のそれぞれに対応付けて再生時間データＤ２、保存時間データＤ３、リジューム種類データＤ４、タイトルデータＤ５および静止画データＤ６を有する。タイトルデータＤ５は、対応のリジューム操作がされたタイトルを一意に識別するためデータであり、たとえば番組の名称などを示す。
【００３２】
再生時間データＤ２はリジュームポイントに対応するもので、ここでは対応のリジューム操作がなされたタイミングを示す時間を指しているが、従来のように再生停止位置を示すアドレスを指してもよい。具体的には、再生時間データＤ２は再生されていたタイトルデータＤ５で識別されるタイトルのデータ群を先頭アドレスからリジュームポイントのアドレスまでを通常再生するのに要する時間を示す。
【００３３】
保存時間データＤ３は、対応のリジューム操作がされた時間（年、月、日、時、分）を示す。リジューム種類データＤ４は、対応のリジューム操作がリモコン１１の早送りキー１１１、巻戻しキー１１２および再生の停止キー１１３のいずれの種類のキー操作でなされたかを示すためのデータである。
【００３４】
静止画データＤ６は、対応のリジューム操作がなされたときに、すなわち再生時間データＤ２が示すタイミングで再生されていたデータによる静止画を指す。この静止画は、再生時間データＤ２が示すタイミングにおいてＣＰＵ５がディスクドライブ３から出力された映像データを入力して、入力した映像データに基づき作成して、リジュームテーブル４１に格納する。
【００３５】
次に、図２のフローチャートに従い、リジューム情報Ａｊの管理の手順について説明する。
【００３６】
まず、ユーザは、デジタル放送受信装置１においてユーザ毎のリジューム情報Ａｊを管理するために、予め各ユーザに割当てられたユーザ名（パスワード）などを、ユーザがリモコン１１を操作することにより与えられたデータから入力していると想定する。ＣＰＵ５は入力したユーザ名を、一旦ＣＰＵ５の図示のない内部メモリに格納する。
【００３７】
次に、ＣＰＵ５は、リモコン１１の操作により与えられた指令に基づき通常モードの再生が指示されているかどうかを判定する（ステップＳ（以下、単にＳと略す）１０）。ここで、通常モードの再生とは、過去に登録したリジューム情報Ａｊを利用しない再生をいう。通常モードの再生が指示されていると判定されると（Ｓ１０でＹＥＳ）、後述のＳ１４の処理に移行するが、通常モードの再生が指示されていないと判定されると（Ｓ１０でＮＯ）、ＣＰＵ５はリジュームポイント選択の処理（Ｓ１２）を行なう。
【００３８】
具体的には、ＣＰＵ５は、予め入力されているユーザ名に基づき、ハードディスク４のリジュームテーブル４１を検索し、該ユーザ名を指すユーザデータＤ１を特定して、特定したユーザデータＤ１のリジューム情報Ａｊを読出す。ＣＰＵ５は、読出したリジューム情報Ａｊに基づき、個人別リジュームポイント一覧のグラフフィックデータを作成してＯＳＤ１４に出力するので、ＯＳＤ１４および映像・音声出力処理部１５を介してモニタ１６には個人別リジュームポイント一覧の画像が、たとえば図６の画像が、そのときの表示画像に重畳して表示される。
【００３９】
図６の個人別リジュームポイント一覧においては、読出したリジューム情報Ａｊに基づいて、対応のユーザデータＤ１に基づき使用者が誰であるかを表示し、そして他のデータＤ２〜Ｄ６が示す情報を保存時間Ｄ３が示す時間の昇順に表示している。ここでは、保存時間データＤ３の昇順に表示しているが降順に表示してもよい。またリジューム操作の種類毎に表示してもよく、またタイトル名毎に表示してもよい。このような表示態様の切替えをユーザの操作により行うようにしてもよい。
【００４０】
図６の画面を参照しながらユーザが、リモコン１１を操作して所望のリジュームポイント（再生時間データＤ２）からのタイトルの再生を所望した場合には、該再生時間データＤ２をカーソルキー１１４を操作して選択的に指定してリモコン１１の図示のない決定キーを操作する。この操作による指令信号はＣＰＵ５に与えられるので、ＣＰＵ５は入力した指令信号に基づき、たとえば図６の矢印ＡＲが示すように選択された再生時間データＤ２に対応のデータＤ３〜Ｄ６をブリンクなど特別な態様で表示する。また、選択的に指定された再生時間データＤ２が示すアドレスのデータから読出が開始されて、モニタ１６に表示され、以降は通常再生が開始される（Ｓ１４、Ｓ１６）。ここではデータＤ６による画像が表示されるのでユーザは所望する再生時間データＤ２を特定するのが容易となる。
【００４１】
その後、ＣＰＵ５は、ユーザによりリモコン１１においてトリックプレイのキー操作がなされたか否かをリモコン受信部１０から入力する指令信号に基づき判定する（Ｓ１８）。トリックプレイのキー操作がされなければ（Ｓ１８でＮＯ）後述のＳ２２の処理に移行するが、トリックプレイのキー操作がされたならば（Ｓ１８でＹＥＳ）、通常再生動作を一時停止して操作されたキーの種類に応じたトリックプレイの処理を行うようＣＰＵ５はディスクドライブ３を制御する（Ｓ１９）。このトリックプレイの処理は従来から公知の手順が適用される。
【００４２】
その後、ＣＰＵ５はトリックプレイのキー操作とともに特定キー１２が押下されたか否かをリモコン受信部１０から入力する指令信号に基づき判定する（Ｓ２０）。特定キー１２の押下がされてないと判定されたときは（Ｓ２０でＮＯ）後述のＳ２２の処理に移行するが、特定キー１２の押下がされたと判定されたときは（Ｓ２０でＹＥＳ）リジュームポイントの登録が要求されたと判断して、ＣＰＵ５は、今回のトリックプレイ操作に従うデータＤ２〜Ｄ６を生成して対応ユーザのリジューム情報Ａｊに追加して格納する（Ｓ２１）。
【００４３】
具体的には、ＣＰＵ５は、トリックプレイのキー操作がされたときのハードディスク４から読出されていたデータのアドレスを示す情報をディスクドライブ３から入力して、入力したアドレスの情報に基づき管理テーブル４０を検索して、該アドレス情報が示すアドレスが、その先頭アドレスデータＤ１１と末尾アドレスデータＤ１２が示す領域に該当する管理データＢｉを特定する。そして特定した管理データＢｉの先頭アドレスデータＤ１１が示すアドレスから、入力したアドレス情報が示すアドレスまでの変位（差分）を該管理データＢｉの記録モードデータＤ１０で除して再生時間データＤ２を求める。
【００４４】
また、ＣＰＵ５はトリックプレイのキー操作がされたタイミングでタイマ７から入力する計時情報に基づき保存時間データＤ３を求める。
【００４５】
また、ＣＰＵ５はリモコン受信部１０から入力する指令信号に基づき、リジューム操作（操作キー）の種類を示すリジューム種類データＤ４を特定する。
【００４６】
また、ＣＰＵ５は特定した管理データＢｉのタイトルデータＤ１３をタイトルデータＤ５とし、また静止画データＤ６を前述したように作成する。
【００４７】
その後ＣＰＵ５は再生の停止キー１１３の操作がなされたか否かをリモコン受信部１０から入力する指令信号に基づき判定する（Ｓ２２）。再生の停止キー１１３の操作がなされたのでなければ（Ｓ２２でＮＯ）、一連の通常再生が終了したか否か、すなわち領域Ｅ４のすべての記録データ４２の再生が終了したか否かを判定する（Ｓ２６）。再生が終了していなければ（Ｓ２６でＮＯ）、処理はＳ１６に戻り再生を継続するが、再生が終了したのであれば（Ｓ２６でＹＥＳ）、一連の処理を終了する。
【００４８】
一方、再生の停止キー１１３の操作がされたと判定すると（Ｓ２２でＹＥＳ）、再生動作を停止する処理を行うようＣＰＵ５はディスクドライブ３を制御する（Ｓ２３）。この再生停止の処理は従来から公知の手順が適用される。
【００４９】
その後、ＣＰＵ５は再生の停止キー１１３の操作とともに特定キー１２が押下されていたか否かをリモコン受信部１０から入力する指令信号に基づき判定する（Ｓ２４）。特定キー１２の押下がされてないと判定されたときは（Ｓ２４でＮＯ）、一連の処理を終了するが、そうでなければ（Ｓ２４でＹＥＳ）、ＣＰＵ５は再生の停止キー１１３が操作されたときの再生時間データＤ２、保存時間データＤ３、リジューム種類データＤ４、タイトルデータＤ５および静止画データＤ６を求めて該ユーザに対応のリジューム情報Ａｊに追加して格納する（Ｓ２５）。その後、一連の処理を終了する。
【００５０】
このようにユーザはリジューム情報の記録を所望するときは、トリックプレイキーとともに特定キー１２を操作することで、または再生の停止キー１３とともに特定キー１２を操作することで、簡単に記録することができる。逆に所望しないときは特定キー１２を操作しなければよい。
【００５１】
ここでは再生の停止キー１１３が操作された場合も特定キー１２が押下された時にのみリジューム情報Ａｊの格納をしているが、特定キー１２が押下されるか否かに拘わらず格納するようにしてもよい。
【００５２】
ここでは、リジューム情報Ａｊは特定キー１２が操作されたときに格納するとしているが、再生中にデジタル放送受信装置１が電源オフされたために再生が停止されるような時は、特定キー１２の操作の有無に拘わらずそのリジューム情報Ａｊを格納しておくようにしてもよい。
【００５３】
また、リジューム情報Ａｊにおいては、古いデータであれば、すなわち対応の保存時間データＤ３が示す時間がより過去を示すようなデータＤ２〜Ｄ６は新たなデータＤ２〜Ｄ６で上書きされることを許可してもよい。
【００５４】
また、再生時間データＤ２が示すアドレスから再生が再開されたか否かを示す特別なフラグをデータＤ２〜Ｄ６対応付けて設けて、そのフラグが再開されたことを示すデータＤ２〜Ｄ６は新たなデータＤ２〜Ｄ６で上書きされることを許可してもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】この発明の実施の形態に係るディスク記録再生装置を搭載したデジタル放送受信装置のブロック構成図である。
【図２】この発明の実施の形態に係るリジュームポイント管理手順のフローチャートである。
【図３】この発明の実施の形態に係るハードディスクにおける記録内容例を示す図である。
【図４】この発明の実施の形態に係る管理テーブルの内容例を示す図である。
【図５】この発明の実施の形態に係るリジュームテーブルの内容例を示す図である。
【図６】この発明の実施の形態に係る表示画面例を示す図である。
【符号の説明】
【００５７】
３  ディスクドライブ、４  ハードディスク、１１  リモコン、４０  管理テーブル、４１  リジュームテーブル、１２  特定キー、１１１  早送りキー、１１２  巻戻しキー、１１３  停止キー、Ａｊ  リジューム情報、Ｂｉ  管理データ、Ｄ１  ユーザデータ、Ｄ２  再生時間データ、Ｄ３  保存時間データ、Ｄ４  リジューム種類データ、Ｄ５  タイトルデータ、Ｄ６  静止画データ、Ｄ１０  記録モードデータ、Ｄ１１  先頭アドレスデータ、Ｄ１２  末尾アドレスデータ。
【図１】
2005332515.tif 000003
【図２】
2005332515.tif 000004
【図３】
2005332515.tif 000005
【図４】
2005332515.tif 000006
【図５】
2005332515.tif 000007
【図６】
2005332515.tif 000008